(57)【要約】      （修正有）【課題】簡易な構成で、バターをパン等に塗布するに当たって使い易いバター塗布具を提供する。【解決手段】バター塗布具１０は、１０℃以下のバターを切り取り、切り取ったバターを塗布するものであり、持ち手からの熱を受ける熱受容部１２と、熱受容部１２からの熱が伝導する熱伝導部１４と、熱伝導部１４から伝導された熱をバターに伝える接触部１６とを含む。熱受容部１２、熱伝導部１４及び接触部１６の表面部分又は表面近傍部分は、熱伝導率が３００Ｗ／ｍ・Ｋ以上の材質からなる。熱伝導率が３００Ｗ／ｍ・Ｋ以上の材質は、たとえば純銅がある。手からの熱がバター塗布具を通じてバターに伝わり、バターが溶け、バターを塗りやすくなる。【選択図】図１
0003198315.tif 000002
【実用新案登録請求の範囲】
【請求項１】
１０℃以下のバターを切り取り、切り取ったバターを塗布するものであり、
持ち手からの熱を受ける熱受容部と、前記熱受容部からの熱が伝導する熱伝導部と、前記熱伝導部から伝導された熱をバターに伝える接触部とを含み、
前記熱受容部、前記熱伝導部及び前記接触部の表面部分又は表面近傍部分は、熱伝導率が３００Ｗ／ｍ・Ｋ以上の材質からなるバター塗布具。
【請求項２】
１０℃以下のバターを切り取り、切り取ったバターを塗布するものであり、
持ち手からの熱を受ける熱受容部と、前記熱受容部からの熱が伝導する熱伝導部と、前記熱伝導部から伝導された熱をバターに伝える接触部とを含み、
前記熱受容部、前記熱伝導部及び前記接触部の表面部分又は表面近傍部分において、熱伝導率が３００Ｗ／ｍ・Ｋ以上の材質からなる被覆層が設けられて構成されているバター塗布具。
【請求項３】
前記被覆層は、１５μｍ以上である請求項１又は２に記載のバター塗布具。
【請求項４】
熱伝導率が３００Ｗ／ｍ・Ｋ未満であって、前記熱受容部、前記熱伝導部及び前記接触部の表面部分又は表面近傍部分を構成する熱伝導率が３００Ｗ／ｍ・Ｋ以上の材質よりも比熱が低い表面保護層が設けられている請求項１〜３のいずれかに記載のパター塗布具。
【請求項５】
持ち手と接触する前記熱受容部の表面積がバターと接触する接触部の表面積より大きい請求項１〜４のいずれかに記載のバター塗布具。
【請求項６】
前記熱受容部、前記熱伝導部及び前記接触部の表面部分又は表面近傍部分は、熱伝導率が３００〜４００Ｗ／ｍ・Ｋの材質からなる請求項１〜５のいずれかに記載のバター塗布具。
【考案の詳細な説明】
【技術分野】
【０００１】
本考案は、バターの固まりから一部を切り取り、パン等に塗布するためのバター塗布具に関する。
【背景技術】
【０００２】
冷却固化したバターを切り取り、切り取ったバターをパンに塗るに当たって、バターが溶けていないために塗りにくいという問題がある。この問題を解決するものとして、バターナイフに電熱線などのヒーターを設ける技術が提案されている（下記の特許文献参照）。
【先行技術文献】
【特許文献】
【０００３】
【特許文献１】実開昭６３−５９５６８号公報
【特許文献２】特開平１０−２０１５９７号公報
【考案の概要】
【考案が解決しようとする課題】
【０００４】
本考案の目的は、簡易な構成で、バターをパン等に塗布するに当たって使い易いバター塗布具を提供することにある。
【課題を解決するための手段】
【０００５】
第１の本考案に係るバター塗布具は、
１０℃以下のバターを切り取り、切り取ったバターを塗布するものであり、
持ち手からの熱を受ける熱受容部と、前記熱受容部からの熱が伝導する熱伝導部と、前記熱伝導部から伝導された熱をバターに伝える接触部とを含み、
前記熱受容部、前記熱伝導部及び前記接触部の表面部分又は表面近傍部分は、熱伝導率が３００Ｗ／ｍ・Ｋ以上の材質からなる。
【０００６】
第２の本考案に係るバター塗布具は、
１０℃以下のバターを切り取り、切り取ったバターを塗布するものであり、
持ち手からの熱を受ける熱受容部と、前記熱受容部からの熱が伝導する熱伝導部と、前記熱伝導部から伝導された熱をバターに伝える接触部とを含み、
前記熱受容部、前記熱伝導部及び前記接触部の表面部分又は表面近傍部分において、熱伝導率が３００Ｗ／ｍ・Ｋ以上の材質からなる被覆層が設けられて構成されている。
【０００７】
前記被覆層は、１５μｍ以上とすることができる。
【０００８】
第１および第２の本考案は、
熱伝導率が３００Ｗ／ｍ・Ｋ未満であって、前記熱受容部、前記熱伝導部及び前記接触部の表面部分又は表面近傍部分を構成する熱伝導率が３００Ｗ／ｍ・Ｋ以上の材質よりも比熱が低い表面保護層が設けられていることができる。
【０００９】
また、第１および第２の本考案は、
持ち手と接触する前記熱受容部の表面積がバターと接触する接触部の表面積より大きくすることができる。
【００１０】
また、第１および第２の本考案は、
前記熱受容部、前記熱伝導部及び前記接触部の表面部分又は表面近傍部分は、熱伝導率が３００〜４００Ｗ／ｍ・Ｋの材質からなることができる。
【考案の効果】
【００１１】
本考案のバター塗布具によれば、バターの固まりから一部を切り取り易く、かつ、パン等にバターを塗りやすく、低コストで、簡易にバター塗布具を製造することができる。
【図面の簡単な説明】
【００１２】
【図１】図１は、本考案の実施の形態に係るバター塗布具を模式的に示す図面である。
【考案を実施するための形態】
【００１３】
以下、本考案の好適な実施の形態について、図面を参照しながら説明する。
【００１４】
１．構成
バター塗布具１０は、１０℃以下のバターの固まりから一部を切り取り、パン等に塗布するもので、たとえば、バターナイフやバタースプレッターなどを挙げることができる。
【００１５】
バター塗布具１０は、持ち手からの熱を受ける熱受容部１２と、熱受容部１２からの熱が伝導する熱伝導部１４と、熱伝導部１４から伝導された熱をバターに伝える接触部１６とを含む。
【００１６】
熱受容部１２、熱伝導部１４及び接触部１６は、熱伝導率が３００Ｗ／ｍ・Ｋ以上の材質からなり、たとえば、銅、銀、金などを挙げることができ、好ましくは熱伝導率が３５０〜４００Ｗ／ｍ・Ｋの材質、たとえば純銅が好ましい。熱伝導率が３００Ｗ／ｍ・Ｋ未満であると、熱受容部１２から接触部１６への熱伝導が不十分となる。
【００１７】
熱受容部１２、熱伝導部１４及び接触部１６は、熱伝導率が３００Ｗ／ｍ・Ｋ未満の材質かなる基材（たとえばステンレス）に、熱伝導率が３００Ｗ／ｍ・Ｋ以上の材質からなる被覆層を設けて構成してもよい。被覆層を設ける手法としては、公知のコーティング方法を採用することができるが、メッキ法、イオンプレーティング法、などが特に好ましい。被覆層の厚さは、たとえば１５μｍ以上とすることができる。
【００１８】
バター塗布具１０は、表面保護層を設けてもよい。表面保護層は、熱伝導率が３００Ｗ／ｍ・Ｋ未満であって、熱受容部１２、前記熱伝導部１４及び接触部１６の少なくとも表面部分又は表面近傍部分を構成する熱伝導率が３００Ｗ／ｍ・Ｋ以上の材質よりも比熱が低いものから構成されることができる。表面保護層は、窒化チタンコーティングにより形成することができる。表面保護層の厚さは、たとえば１〜４μｍである。
【００１９】
バター塗布具１０の長さは、特に限定されないが、たとえば１４０〜１７０ｍｍとすることができる。熱受容部１２及び熱伝導部１４の長さの和は、たとえば、８０〜１００ｍｍとすることができる。バター塗布具１０の厚さとしては、特に限定されないが、たとえば２〜５ｍｍとすることができる。
【００２０】
バター塗布具１０がたとえば括れた形状の場合には、熱伝導部１４は、その括れた部分がその機能を奏することになる。
【００２１】
接触部１６は、バターナイフの場合には、その刃先の部分となる。熱受容部１２は、バターナイフの場合には、通常の持ち手の部分となる。
【００２２】
手と接触する熱受容部の表面積は、バターと接触する接触部の表面積より大きくすることで、途中で熱が損失しても、接触部に熱を効果的に供給することができる。
【００２３】
２．作用効果
このようなバター塗布具１０によれば、熱伝導に優れた材質が少なくとも表面に設けられることで、使用時に持った手の熱が刃先（接触部１６）に伝わり、冷えて固くなったバターを切り取り易くなると共に、バターが溶けてスムースにパンに塗ることができる。そのため、朝の忙しい時間にバターを温めることなく、トーストを美味しく食すことができます。
【００２４】
本考案の実施の形態によれば、上記の先行技術文献に記載の技術（以下「従来技術」という。）に比べて、次の効果を奏することができる。
【００２５】
（１）従来技術のようにナイフの中に電熱線を入れるのは、製造が難しく、高コストである。ヒーターが不要であるため、製造が容易である共に、低コストで製造することができる。
【００２６】
（２）従来技術の場合には、ヒーターを稼働するためにスイッチを押す必要があったりと、操作が面倒であるが、本考案の実施の形態によれば、持ち手の熱がバターに伝わるため、特別な操作が不要である。
【００２７】
（３）従来技術は、電池やコードをコンセントに差し込む必要があり、電池が切れたときや電源が近くにないときには使うことができない。しかし、本考案の実施の形態によれば、電池や電源がなくとも使用することができる。
【００２８】
（４）従来技術においては、電熱線の熱を伝えることになるため、温度管理のための制御回路などがなければ温度管理が難しく、バターが過度に溶けすぎてしまう問題もある。しかし、本考案の実施の形態によれば、そのような問題は発生しない。
【００２９】
本考案の実施の形態は、本考案の要旨の範囲内において、種々の変更が可能である。
【産業上の利用可能性】
【００３０】
本考案は、バターナイフやバタースプレッターとして好適である。
【符号の説明】
【００３１】
１０  バター塗布具
１２  熱受容部
１４  熱伝導部
１６  接触部
【図１】
0003198315.tif 000003